Podtech/llm-jp-corpus-v4-ja_patent huggingface dataset:
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
ケーシング（１１）に配置された翼を備える可変ピッチのステータ翼ステージであり、前記翼が、前記ケーシングの外側のアクチュエータリング（１８）によって移動され、かつケーシングによって担持され、前記アクチュエータリングが、前記ステージの翼を同時に作動させるために、クランク（１６）を介して前記ステージの翼に接続される、可変ピッチのステータ翼ステージであって、前記ケーシング（１１）が、前記ケーシング（１１）の外側表面から突出している固定同軸環状レール（２４）を有することと、周方向に離間した少なくとも三つの移動装置（２６）が、前記レールに沿って移動するように拘束されることと、各移動装置が、径方向案内装置（２８）によって前記アクチュエータリングに結合されることとを特徴とする、可変ピッチのステータ翼ステージ。
【請求項２】
前記レールが、前記ケーシングに固定された二つの平行トラックリング（３０ａ、３０ｂ）で構成されることと、移動装置（２６）が、二つのトラックリングの間で移動するように形作られることとを特徴とする、請求項１に記載の翼ステージ。
【請求項３】
二つのトラックリングが、対向する横方向リム（３２ａ、３２ｂ）を備えることと、移動装置が、サイドリムと係合するＶ溝ホイール（３４）を含むこととを特徴とする、請求項２に記載の翼ステージ。
【請求項４】
各移動装置（２６）が、前記アクチュエータリングを包囲する支持体（３６）を含むことと、前記ホイールが、前記支持体で自由に回転するように取り付けられることとを特徴とする、請求項３に記載の翼ステージ。
【請求項５】
各ホイールが、ハブ形成要素（５２）に取り付けられ、該ハブ形成要素（５２）が、前記支持体に固定され、かつ前記ケーシングに対してほぼ径方向に延びることを特徴とする、請求項４に記載の翼ステージ。
【請求項６】
転がり手段（５４）が、前記ハブ形成要素と前記ホイールとの間に挿入されていることを特徴とする、請求項５に記載の翼ステージ。
【請求項７】
前記ハブ形成要素が、二つの端部に対して相対的に偏心して前記支持体に固定されている偏心部分（７６）を備えることと、ホイール（３４）が、前記偏心部分で回転するように取り付けられることと、前記ハブ形成要素が前記支持体に取り付けられる角度位置が、調節可能であり、前記ホイールと前記レールとの間の隙間を調節することができることとを特徴とする、請求項５または６に記載の翼ステージ。
【請求項８】
二つのトラックリング（３０ａ、３０ｂ）が、対向するサイド溝（１０８）を備えることと、各移動装置が、二つのトラックリングの間に延びるベース（１０９）を含むことと、前記トラックリングに対向する前記ベースの縁面が、前記サイド溝に係合する転がり要素（１１０）を担持することとを特徴とする、請求項２に記載の翼ステージ。
【請求項９】
二つのトラックリングが、対向する切頭円錐台面（１１６）を備えることと、各移動装置が、二つのトラックリングの間に延びるベース（１１９）を含むことと、前記ベースの底面、及び前記二つのトラックリングに対向する前記ベースの縁面が、減摩材の接触パッド（１２１、１２２）を担持して、前記二つのトラックリングの間のケーシングの外側面、及び切頭円錐台面とそれぞれ協働することとを特徴とする、請求項２に記載の翼ステージ。
【請求項１０】
前記レールが、前記ケーシングに固定された単一のトラックリング（１２４）で作られることと、各移動装置が、各側に、好ましくは転がり手段（１１０）を介して、前記レールに横方向に接触する案内要素（１２６ａ、１２６ｂ）を有することとを特徴とする、請求項１に記載の翼ステージ。
【請求項１１】
前記トラックリング（１２４）が、二つの反対側の環状サイド溝（１３２）を含み、各移動装置が、前記環状サイド溝に係合する転がり手段、好ましくはボール再循環システムを有することを特徴とする、請求項１０に記載の翼ステージ。
【請求項１２】
各移動装置に対して、前記径方向案内装置が、前記アクチュエータリングの孔に径方向に係合する要素（８６）を含み、前記径方向に係合する要素が、前記移動装置によって担持されることを特徴とする、請求項１から１１のいずれか一項に記載の翼ステージ。
【請求項１３】
前記径方向に係合する要素がロッドを含むことと、前記ロッドが、減摩ブッシュ（８８）によって、または、好ましくはボール再循環型の管状の転がりケージによって包囲されていることとを特徴とする、請求項１２に記載の翼ステージ。
【請求項１４】
各移動装置に対して、前記径方向案内装置が、前記アクチュエータリングの高さの一部に形成された径方向スロット（１００）を含み、ロッド（１０２）が、周方向隙間なく摺動自在に係合され、ロッド（１０２）が、回転軸に平行に延び、かつ前記移動装置に担持されることを特徴とする、請求項１２に記載の翼ステージ。
【請求項１５】
前記転がり手段が、各前記ロッドと前記径方向スロットとの間に挿入されることを特徴とする、請求項１４に記載の翼ステージ。
【請求項１６】
請求項１から１５のいずれか一項に記載の可変ピッチのステータ翼ステージを少なくとも一つ備える、圧縮機。
【請求項１７】
請求項１６に記載の圧縮機を少なくとも一つ含む、ターボ機械。
【手続補正２】
【補正対象書類名】明細書
【補正対象項目名】０００７
【補正方法】変更
【補正の内容】
【０００７】
さらに正確には、本発明は、ケーシングに配置される翼を備える可変ピッチのステータ翼ステージに関し、前記翼は、ケーシングの外側でアクチュエータリングによって移動され、かつケーシングによって担持され、前記アクチュエータリングは、前記ステージの翼を同時に作動させるために、クランクを介してステージの翼に接続される、可変ピッチのステータ翼ステージであって、ケーシングは、ケーシングの外側表面から突出している固定同軸環状レールを有し、周方向に離間した少なくとも三つの移動装置が、前記レールに沿って移動するように拘束されており、各移動装置は、径方向案内装置によって前記アクチュエータリングに結合されている。
【手続補正書】
【提出日】平成21年9月25日(2009.9.25)
【手続補正１】
【補正対象書類名】明細書
【補正対象項目名】特許請求の範囲
【補正方法】変更
【補正の内容】
【特許請求の範囲】
【請求項１】
物体の電気ボンドを検査するＸ線検査装置であって、
Ｘ線源と、
前記物体のための移動可能なマニピュレータプレートと、
前記マニピュレータプレートおよび前記物体を前記Ｘ線源に対して移動する移動手段と、
画像を形成するためのＸ線画像増倍管と、
前記Ｘ線画像増倍管を前記Ｘ線源に対して移動する画像増倍管移動装置と、
前記物体の第一画像を作成する作成手段と、
前記物体の前記第一画像を表示するモニタと、
前記第一画像において関心領域を選択するソフトウェアを含む手段と、
前記マニピュレータプレートを制御し前記物体を前記Ｘ線源に対して動かし、前記関心領域のＸ線画像が作成可能なように該物体を該Ｘ線源と前記Ｘ線画像増倍管に対して位置させる制御手段と、
前記関心領域のＸ線画像を作成し表示する手段と、
を備えるＸ線検査装置。
【請求項２】
前記関心領域のＸ線画像を、前記物体の第一画像と同時に表示する手段を備える、
請求項１に記載のＸ線検査装置。
【請求項３】
前記画像増倍管移動装置は、キャリッジを有する、
請求項１に記載のＸ線検査装置。
【請求項４】
前記移動手段は、前記マニピュレータプレートを移動するモータ駆動装置である、
請求項１に記載のＸ線検査装置。
【請求項５】
前記モータ駆動装置は、三軸モータ駆動装置である、
請求項４に記載のＸ線検査装置。
【請求項６】
前記Ｘ線源、前記Ｘ線画像増倍管、前記Ｘ線画像増倍管移動装置、支持体、支持体移動装置およびビデオカメラを収納するキャビネットを更に備え、
前記ビデオカメラは、前記Ｘ線画像をコンピュータモニタに表示し、
前記モニタは、前記キャビネットの外に配置される、
請求項１に記載のＸ線検査装置。
【請求項７】
前記第一画像は、Ｘ線画像である、
請求項１に記載のＸ線検査装置。
【請求項８】
前記第一画像は仮想的画像であり、リアルタイム画像ではない、
請求項１に記載のＸ線検査装置。
【請求項９】
前記Ｘ線画像は、リアルタイム画像である、
請求項１に記載のＸ線検査装置。
【請求項１０】
前記Ｘ線画像はリアルタイムＸ線画像であり、前記第一画像は仮想的Ｘ線画像である、
請求項１に記載のＸ線検査装置。
【請求項１１】
前記同時に表示する手段は、単一のコンピュータモニタである、
請求項２に記載のＸ線検査装置。
【請求項１２】
前記関心領域を選択するソフトウェアを含む手段は、前記第一画像上に幾何学的図形を重ね合わせる手段を有し、
前記幾何学的図形の周囲は、前記関心領域のＸ線画像の境界線を定める、
請求項１に記載のＸ線検査装置。
【請求項１３】
前記幾何学的形状は、ボックスである
請求項１２に記載のＸ線検査装置。
【手続補正書】
【提出日】平成21年3月25日(2009.3.25)
【手続補正１】
【補正対象書類名】明細書
【補正対象項目名】００３９
【補正方法】変更
【補正の内容】
【００３９】
図８に示すように、一対のサイドガセット材１４ではなく、それ以上の数のサイドガセット材１４を一方の層の胴材１１に供給し、胴材１１の幅方向において、各サイドガセット材１４が間隔を置いて対向するようにしてもよい。特開２００４−０１００５５号公報のものと同様、サイドガセット材１４として２倍の幅のものを使用し、これを長さ方向中心線の両側で２つ折りしてもよい。この場合、ヒートシール後、胴材１１、サイドガセット材１４およびジッパ材１５をスリット線３２に沿ってスリットし、その後、カッタ３１によって両層の胴材１１をカットすると、複数のプラスチック袋を同時に製造することができる。胴材１１、サイドガセット材１４およびジッパ材１５をトリミング線３３に沿ってトリミングするようにしてもよい。
【手続補正２】
【補正対象書類名】図面
【補正対象項目名】図８
【補正方法】変更
【補正の内容】
【図８】
2009083396.tif 000001
【手続補正書】
【提出日】平成21年7月30日(2009.7.30)
【手続補正１】
【補正対象書類名】明細書
【補正対象項目名】００２７
【補正方法】変更
【補正の内容】
【００２７】
原点補正制御装置の動作および各工程について、主として図３〜図６を参照しながら説明する。
参照する図において、図３は本発明の実施形態に係る機械先端点設定工程を説明するための正面図である。図４は噴流体の芯ぶれ測定工程を説明するための図であり、（ａ）はレーザセンサをＸ軸に平行にした状態、（ｂ）はレーザセンサをＹ軸に平行にした状態を示し、（ｃ）は加工先端点におけるジェットの偏差の状態を説明するための平面図である。図５は噴流体の先端点測定工程を説明するための図でありレーザセンサをＸ軸に平行にした状態を示し、（ａ）は斜視図、（ｂ）は加工先端点におけるジェットの偏差の状態を説明するための平面図である。図６は噴流体の先端点測定工程を説明するための図でありレーザセンサをＹ軸に平行にした状態を示し、（ａ）は斜視図、（ｂ）は加工先端点におけるジェットの偏差の状態を説明するための平面図である。
【手続補正２】
【補正対象書類名】明細書
【補正対象項目名】００４１
【補正方法】変更
【補正の内容】
【００４１】
また、噴流体の先端点振れ測定工程では、図６（ａ）に示すように、回転台４（図１）を９０°回転させて、レーザセンサ３をＹ軸に平行に配置した状態で、Ａ軸を−８°，＋８°に傾けて、それぞれレーザセンサ３から照射されたレーザＬの照射面上におけるＸＹ平面内を通過するジェットＪの位置（座標）Ｊｘ（−８°），Ｊｘ（＋８°）を測定する。
【手続補正書】
【提出日】平成21年6月9日(2009.6.9)
【手続補正１】
【補正対象書類名】明細書
【補正対象項目名】０００８
【補正方法】変更
【補正の内容】
【０００８】
請求項２に係る発明では、前記下部送りベルトに所定間隔毎に縦向き姿勢で送り込まれる複数の物品の到来順に物品の側部との当接位置を変化させて、その下流側での物品の横向き姿勢への変換動作を補助する補正手段を配設したことを要旨とする。
これによれば、所定個数の各物品の通過順に接触する位置を変化させて、各物品が横向きに転向するときの物品同士の接触抵抗でロールパンの如き軟らかい物品の変形等を防止すると共に、その横向き姿勢への転向を容易になし得る。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
ゲーム画像が表示される表示画面上の位置を指示するための座標入力手段に接続されたコンピュータを、
プレイヤによって移動操作可能なオブジェクトを含むゲーム画像を生成して表示画面に表示する表示制御手段、
前記座標入力手段からの出力信号に基づいて、当該座標入力手段を通じて入力される前記表示画面上の位置を示す座標値を逐次検出する座標検出手段、
前記座標検出手段により検出された座標値に基づいて、前記オブジェクトの移動を制御する移動制御手段、および
前記移動制御手段により前記オブジェクトの移動が制御されていない間は、前記座標検出手段により検出された座標値で示される前記表示画面上の位置が、前記表示画面の外縁に沿った第１周辺領域内にあることを条件として、前記表示制御手段によって前記表示画面に表示されるゲーム画像をスクロールさせ、
前記移動制御手段により前記オブジェクトの移動が制御されている間は、前記座標検出手段により検出された座標値で示される前記表示画面上の位置が、前記第１周辺領域内にある前記表示画面上の位置よりも前記表示画面の中央部に近い位置を含む第２周辺領域内にあることを条件として、前記表示制御手段によって前記表示画面に表示されるゲーム画像をスクロールさせるスクロール制御手段として機能させるためのゲームプログラム。
【請求項２】
前記第１周辺領域が前記第２周辺領域よりも狭いことを特徴とする、請求項１に記載のゲームプログラム。
【請求項３】
前記スクロール制御手段は、前記移動制御手段により前記オブジェクトの移動が制御されていないときと制御されているときとで、前記表示制御手段によって前記表示画面に表示されるゲーム画像のスクロール速度を変化させることを特徴とする、請求項１に記載のゲームプログラム。
【請求項４】
前記移動制御手段により前記オブジェクトの移動が制御されているときの前記スクロール制御手段によるゲーム画像のスクロール速度が、前記移動制御手段により前記オブジェクトの移動が制御されていないときのスクロール速度よりも遅いことを特徴とする、請求項３に記載のゲームプログラム。
【請求項５】
前記座標入力手段が前記表示画面上に設けられたタッチパネルであり、
前記移動制御手段は、前記タッチパネル上でのスライド操作によって前記オブジェクトの移動を制御することを特徴とする、請求項１に記載のゲームプログラム。
【請求項６】
前記座標入力手段が前記表示画面上に設けられたタッチパネルであり、
前記移動制御手段は、前記表示画面における前記オブジェクトの表示位置を起点とした前記タッチパネル上でのスライド操作によって前記オブジェクトの移動を制御することを特徴とする、請求項１に記載のゲームプログラム。
【請求項７】
前記スクロール制御手段は、前記移動制御手段により前記オブジェクトの移動が制御されていない間は、前記座標検出手段により検出された座標値で示される前記表示画面上の位置が前記表示画面の外縁に沿った第１周辺領域内にある場合、前記座標検出手段により検出された座標値で示される前記表示画面上の位置に前記オブジェクトが存在しているときには、前記表示制御手段によって前記表示画面に表示されるゲーム画像をスクロールさせないことを特徴とする、請求項１に記載のゲームプログラム。
【請求項８】
ゲーム画像が表示される表示画面上の位置を指示するための座標入力手段、
プレイヤによって移動操作可能なオブジェクトを含むゲーム画像を生成して表示画面に表示する表示制御手段、
前記座標入力手段からの出力信号に基づいて、当該座標入力手段を通じて入力される前記表示画面上の位置を示す座標値を逐次検出する座標検出手段、
前記座標検出手段により検出された座標値に基づいて、前記オブジェクトの移動を制御する移動制御手段、および
前記移動制御手段により前記オブジェクトの移動が制御されていない間は、前記座標検出手段により検出された座標値で示される前記表示画面上の位置が、前記表示画面の外縁に沿った第１周辺領域内にあることを条件として、前記表示制御手段によって前記表示画面に表示されるゲーム画像をスクロールさせ、
前記移動制御手段により前記オブジェクトの移動が制御されている間は、前記座標検出手段により検出された座標値で示される前記表示画面上の位置が、前記第１周辺領域内にある前記表示画面上の位置よりも前記表示画面の中央部に近い位置を含む第２周辺領域内にあることを条件として、前記表示制御手段によって前記表示画面に表示されるゲーム画像をスクロールさせるスクロール制御手段を備えたゲーム装置。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
ゲーム画像を表示するための表示手段と、前記表示手段の画面上の座標を入力するための座標入力手段と、データを一時的に記憶するメモリとに接続されたコンピュータを、
前記座標入力手段による座標入力の開始から解除までの間、当該座標入力手段によって入力された座標を表す座標データを有効な座標データとして前記メモリに逐次格納する格納手段、
前記メモリに格納されている有効な座標データ群を、当該メモリに格納されてからの時間経過にしたがって座標データ毎に順次無効にする無効化手段、
前記メモリに格納されている有効な座標データ群を用いてゲーム処理を実行するゲーム処理手段、
前記メモリに格納されている有効な座標データによって構成される操作軌跡の画像であって、前記メモリに格納されている各有効な座標データが前記無効化手段によってそれぞれ無効化されるまでの時間に応じてその表示態様が部分的に変化するような操作軌跡の画像を生成する軌跡画像生成手段、および
前記ゲーム処理手段によるゲーム処理結果を反映した、前記軌跡画像生成手段によって生成された操作軌跡の画像を含むゲーム画像を前記表示手段に表示させる表示制御手段として機能させるためのゲームプログラム。
【請求項２】
前記軌跡画像生成手段は、前記操作軌跡の画像の太さを部分的に変化させることを特徴とする、請求項１に記載のゲームプログラム。
【請求項３】
前記軌跡画像生成手段は、前記操作軌跡の画像の色を部分的に変化させることを特徴とする、請求項１に記載のゲームプログラム。
【請求項４】
前記軌跡画像生成手段によって生成される操作軌跡の画像は、有効な座標データを入力された順番に結んだ各線分に対応する複数の操作軌跡要素画像で構成され、
前記軌跡画像生成手段は、各前記操作軌跡要素画像の表示態様を、操作軌跡要素画像に対応する線分の少なくとも一端の座標データが前記無効化手段によって無効化されるまでの時間に応じて個別に変化させることを特徴とする、請求項１に記載のゲームプログラム。
【請求項５】
前記軌跡画像生成手段は、各前記操作軌跡要素画像に対応する線分の少なくとも一端の座標データが前記無効化手段によって無効化されるまでの時間が少ないほど、各前記操作軌跡要素画像の幅を細くすることを特徴とする、請求項４に記載のゲームプログラム。
【請求項６】
前記軌跡画像生成手段は、各前記操作軌跡要素画像に対応する線分の少なくとも一端の座標データが前記無効化手段によって無効化されるまでの時間が少ないほど、各前記操作軌跡要素画像の色を薄くすることを特徴とする、請求項４に記載のゲームプログラム。
【請求項７】
前記ゲーム処理手段は、前記メモリに格納されている有効な座標データ群によって構成される操作軌跡の形状が所定の条件を満たしたことに応じて、当該所定の条件に対応する所定のゲーム処理を実行することを特徴とする、請求項１に記載のゲームプログラム。
【請求項８】
ゲーム画像を表示するための表示手段と、前記表示手段の画面上の座標を入力するための座標入力手段と、データを一時的に記憶するメモリとに接続されたコンピュータを、
前記座標入力手段による座標入力の開始から解除までの間、当該座標入力手段によって入力された座標を表す座標データを有効な座標データとして前記メモリに逐次格納する格納手段、
前記メモリに格納されている有効な座標データ群を、当該メモリに格納されてからの時間経過にしたがって座標データ毎に順次無効にする無効化手段、
前記メモリに格納されている有効な座標データ群によって構成される操作軌跡の形状が所定の条件を満たしたことに応じて、当該所定の条件に対応する所定のゲーム処理を実行するゲーム処理手段、および
前記ゲーム処理手段によるゲーム処理結果を反映したゲーム画像を前記表示手段に表示させる表示制御手段として機能させるためのゲームプログラム。
【請求項９】
前記所定の条件が、画面上の任意の領域が操作軌跡によって囲まれることであることを特徴とする、請求項８に記載のゲームプログラム。
【請求項１０】
前記所定の条件が、画面上の所定の領域を操作軌跡が横切ることであることを特徴とする、請求項８に記載のゲームプログラム。
【請求項１１】
ゲーム画像を表示するための表示手段、
前記表示手段の画面上の座標を入力するための座標入力手段、
データを一時的に記憶するメモリ、
前記座標入力手段による座標入力の開始から解除までの間、当該座標入力手段によって入力された座標を表す座標データを有効な座標データとして前記メモリに逐次格納する格納手段、
前記メモリに格納されている有効な座標データ群を、当該メモリに格納されてからの時間経過にしたがって座標データ毎に順次無効にする無効化手段、
前記メモリに格納されている有効な座標データ群を用いてゲーム処理を実行するゲーム処理手段、
前記メモリに格納されている有効な座標データによって構成される操作軌跡の画像であって、前記メモリに格納されている各有効な座標データが前記無効化手段によってそれぞれ無効化されるまでの時間に応じてその表示態様が部分的に変化するような操作軌跡の画像を生成する軌跡画像生成手段、および
前記ゲーム処理手段によるゲーム処理結果を反映した、前記軌跡画像生成手段によって生成された操作軌跡の画像を含むゲーム画像を前記表示手段に表示させる表示制御手段を備えたゲーム装置。
【請求項１２】
ゲーム画像を表示するための表示手段、
前記表示手段の画面上の座標を入力するための座標入力手段、
データを一時的に記憶するメモリ、
前記座標入力手段による座標入力の開始から解除までの間、当該座標入力手段によって入力された座標を表す座標データを有効な座標データとして前記メモリに逐次格納する格納手段、
前記メモリに格納されている有効な座標データ群を、当該メモリに格納されてからの時間経過にしたがって座標データ毎に順次無効にする無効化手段、
前記メモリに格納されている有効な座標データ群によって構成される操作軌跡の形状が所定の条件を満たしたことに応じて、当該所定の条件に対応する所定のゲーム処理を実行するゲーム処理手段、および
前記ゲーム処理手段によるゲーム処理結果を反映したゲーム画像を前記表示手段に表示させる表示制御手段を備えたゲーム装置。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
２レベルの振幅変調により読取器（２）によってトランスポンダ（４）に放出された情報を復調する方法であって、トランスポンダのスレーブ電圧の変動の符号の保留時間を各シンボルについてチェックすることによって変調レベルの変化を検出する方法。
【請求項２】
トランスポンダのスレーブ電圧の変動の符号の保留時間が閾値と比較される請求項１に記載の方法。
【請求項３】
シンボルの値が直前のシンボルの値を用いて決定される請求項１に記載の方法。
【請求項４】
各シンボルについて、オーバーサンプリング周波数で符号ビット列が供給され、この符号ビット列が各シンボルの値を決定するのに用いられる請求項１に記載の方法。
【請求項５】
１つのシンボルについて前記符号ビット列が、閾値より低い期間中の０及び１ビットの列の交番であるとき、当該シンボルの値は直前のシンボルの値と同一である請求項２ないし４のいずれかに記載の方法。
【請求項６】
１つのシンボルについて、同一符号列の期間が、閾値より大きいとき、当該シンボルの値は当該列の符号に従って決定される請求項２又は４に記載の方法。
【請求項７】
２レベルの振幅変調により読取器（２）によってトランスポンダ（４）に放出された情報を復調する装置であって、トランスポンダのスレーブ電圧の変動の符号の保留時間をチェックすることによって変調レベルの変化を各シンボルについて検出する手段を備えた装置。
【請求項８】
トランスポンダのスレーブ電圧の変動の符号の保留時間が閾値と比較される請求項７に記載の装置。
【請求項９】
直前のシンボルの値を用いてシンボルの値を決定する手段を備えた請求項８に記載の装置。
【請求項１０】
アンテナを形成する手段、アンテナ端末での負荷インピーダンス手段、及び、負荷インピーダンスの端末に電圧制御ループを形成する手段を備えた請求項７に記載の装置。
【請求項１１】
前記電圧制御ループを形成する手段が、アンテナ端末で電圧を受ける整流回路、及び整流回路の出力の関数として負荷インピーダンスを変更する制御手段を備えた請求項１０に記載の装置。
【請求項１２】
前記制御手段と前記整流手段との間にアナログ−デジタル変換手段を備える復調手段を更に備えた請求項１１に記載の装置。
【請求項１３】
オーバーサンプリング周波数でビット列を供給する比較器と、トランスポンダのスレーブ電圧を出力する積分器とを備え、前記トランスポンダのスレーブ電圧を利用して、負荷インピーダンスを変更する請求項１１に記載の装置。
【請求項１４】
２レベルの振幅変調により読取器（２）によってトランスポンダ（４）に放出された情報を復調する方法であって、トランスポンダのスレーブ電圧の変動の符号が定期的に変化しているか否かを決定するステップであって、
前記符号が定期的に変化しておらず、トランスポンダのスレーブ電圧の変動の符号が正である場合、前記受信したシンボルの値は１であり、
前記符号が定期的に変化しておらず、トランスポンダのスレーブ電圧の変動の符号が負である場合、前記受信したシンボルの値は０であり、
前記符号が定期的に変化し、トランスポンダのスレーブ電圧の変動の符号の保留時間が閾値より大きく、トランスポンダのスレーブ電圧の変化の符号が負である場合、前記受信したシンボルの値は０であり、
前記符号が定期的に変化し、トランスポンダのスレーブ電圧の変動の符号の保留時間が閾値より大きく、トランスポンダのスレーブ電圧の変動の符号が正である場合、前記受信したシンボルの値は１であるステップを各受信したシンボルについて実行する方法。
【請求項１５】
２レベルの振幅変調により読取器（２）によってトランスポンダ（４）に放出された情報を復調する装置であって、
受信したシンボルの符号ビットを記憶する手段と、
前記受信したシンボルへの変化を示す手段と、
「同一符号」のストリング長カウンタと、
カウンタの値が閾値より大きいか否かを示す比較器と、
ｃｏｍ＿０とｃｏｍ＿１の値を決定する２つの手段であって、
カウンタの値が閾値より大きく、かつ、符号ビットの値が０である場合に、ｃｏｍ＿０＝１となり、
カウンタの値が閾値より大きく、かつ、符号ビットの値が１である場合に、ｃｏｍ＿１＝１となるように値を決定する２つの手段と、
受信されたシンボルの値をｃｏｍ＿０とｃｏｍ＿１の値に従って決定する手段であって、
ｃｏｍ＿０＝１の場合、受信されたシンボルの値が０となり、
ｃｏｍ＿１＝１の場合、受信されたシンボルの値が１となり、
ｃｏｍ＿０＝ｃｏｍ＿１の場合、受信されたシンボルの値が直前のシンボルの値と等しくなるように、決定する手段と、
を具備し、  
受信されたシンボルの値を決定する手段が、シンボルの周波数で動作し、他の手段すべてがオーバーサンプリング周波数で動作する装置。
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
無線ネットワーク（１００）において信号測定を管理する方法であって、前記無線ネットワークは、前記ネットワークにおいて少なくとも１つのタイプの測定を実行するように適合された少なくとも１つの局と、前記タイプの測定を処理する集中測定マネージャ（ＣＭＭ）ユニット（１０１）とを備え、
前記方法は、
前記ＣＭＭユニットが、前記局（１０２）に対し前記タイプの測定を実行するように要求する測定要求メッセージ（２０１）を送信するステップであって、前記要求メッセージはトリガ情報（３０４、５０１、６０１〜６０２）を含むステップと、
前記局が、前記測定要求メッセージ（２０１）を受信すると、前記タイプの測定を実行する（２０２）とともに、対応する測定結果を取得する（２０３）ステップと、
前記トリガ情報に基づき、前記測定結果の少なくとも一部が前記ＣＭＭユニットに送信されるべきか否かを判断するステップ（２０４）と、
送信されるべきである場合、前記局が、前記測定結果の前記少なくとも一部を前記ＣＭＭユニットに送信するステップと
を含む、無線ネットワークにおいて信号測定を管理する方法。
【請求項２】
前記少なくとも１つのタイプの測定は、異なるサブタイプの測定を含み、
前記トリガ情報（３０４）は、前記異なるサブタイプのうちから選択された少なくとも１つのサブタイプを指示し、
前記局は、前記閾値と前記対応する測定結果との比較に基づき、前記対応する測定結果を前記ＣＭＭユニット（１０１）に送信することを決定する、請求項１に記載の方法。
【請求項３】
前記測定は、所与のチャネルが所与の持続時間のあいだビジーである期間を確定するステップを含み、
前記トリガ情報（５０１）は閾値をさらに含み、
前記局は、前記閾値と前記対応する測定結果との比較に基づき、前記対応する測定結果を前記ＣＭＭユニットに送信することを決定する、請求項１又は２に記載の方法。
【請求項４】
前記測定タイプは、複数の電力値の範囲の各々につき１つの密度レベルを計算するステップを含み、
前記トリガ情報（６０１〜６０２）は、閾値密度値（６０１）と閾値数（６０２）とをさらに含み、
前記局は、選択された計算された密度レベルについて、その合計値が前記閾値密度値以下である間これを合計することにより、前記合計値を計算し、前記合計されるべき計算された密度レベルは、所与の規則に従って、前記計算された密度レベルのうちから選択され、
前記局は、前記合計された密度レベルの数と前記閾値数との比較に基づき、前記対応する測定結果を前記ＣＭＭユニット（１０１）に送信するべきか否かを判断する、請求項１〜３のいずれか一項に記載の方法。
【請求項５】
前記電力値の範囲は、電力値の昇順でソートされ、
合計される前記密度レベルは、最高の電力値の範囲に対応する前記密度レベルから開始して、前記合計値が前記閾値密度値以下である間、前記電力値の範囲を下降しつつ、前記計算された密度レベルのうちから選択される、請求項４に記載の方法。
【請求項６】
前記無線ネットワークは、ＩＥＥＥによって標準化される８０２．１１ｈプロトコルに基づく、請求項１〜５のいずれか一項に記載の方法。
【請求項７】
前記ＣＭＭユニットは局（１０２）と同一場所に配置される、請求項１〜６のいずれか一項に記載の方法。
【請求項８】
無線ネットワーク（１００）において測定を管理するために集中測定マネージャ（ＣＭＭ）ユニット（１０１）と協働するように適合された局（１０２）であって、
前記局は、
測定のタイプを指示し、且つトリガ情報（３０４、５０１、６０１〜６０２）を含む測定要求メッセージ（２０１）を受信するように適合されたインタフェースユニット（７０１）と、
前記測定要求メッセージ（２０１）を受信すると、指示されたタイプの測定を実行し（２０２）、対応する測定結果を提供するように適合された測定ユニット（７０２）と、
前記トリガ情報に基づき、前記測定結果の少なくとも一部が前記ＣＭＭユニットに送信されるべきか否かを判断するように適合され、且つ、送信されるべきである場合、前記ＣＭＭユニットに前記測定結果の前記少なくとも一部を送信することを処理するように適合された判断ユニット（７０３）と
を具備する、局。
【請求項９】
前記測定ユニットは、異なるサブタイプの測定を含む測定を実行するように適合され、
前記トリガ情報（３０４）は、各々が１つのサブタイプに関連する複数のビット（４０１〜４０４）を含むバイナリマスクを有することにより、前記異なるサブタイプのうちから選択される少なくとも１つのサブタイプを指示し、
前記判断ユニット（７０３）は、前記測定結果が所与の値に等しい場合、前記測定結果の、前記選択されたサブタイプに対応する部分を前記ＣＭＭユニット（１０１）に送信することを決定するように適合される、請求項８に記載の局。
【請求項１０】
前記測定ユニットは、所与のチャネルが所与の測定持続時間のあいだビジーである期間を確定するステップを含む測定を実行するように適合され、
前記判断ユニットは、前記トリガ情報（５０１）において指示される閾値と前記対応する測定結果との比較に基づき、前記対応する測定結果を前記ＣＭＭユニット（１０１）に送信することを決定するように適合される、請求項８又は９に記載の局。
【請求項１１】
前記測定ユニットは、複数の電力値の範囲の各々につき１つの密度レベルを計算するステップを含む測定を実行するように適合され、前記トリガ情報（６０１〜６０２）は閾値密度値（６０１）及び閾値数（６０２）を指示し、
前記測定ユニットは、選択された計算された密度レベルについて、その合計値が前記閾値密度値以下である間これを合計することにより、前記合計値を計算し、前記合計されるべき計算された密度レベルは、所与の規則に従って、前記計算された密度レベルのうちから選択され、
前記判断ユニットは、前記合計された密度レベルの数と前記閾値数との比較に基づき、前記対応する測定結果を送信することを決定するように適合される、請求項８〜１０のいずれか一項に記載の局。
【請求項１２】
無線ネットワーク（１００）において測定を処理するように適合された集中測定マネージャ（ＣＭＭ）ユニットであって、前記無線ネットワークは、前記ネットワークにおいて少なくとも１つのタイプの測定を実行するように適合された少なくとも１つの局（１０２）を備え、
前記ＣＭＭユニットは、対応する測定結果を提供するように前記タイプの測定を実行するよう要求するために、前記局に測定要求メッセージ（２０１）を送信するように適合されたインタフェースユニット（８０１）を具備し、
前記要求メッセージはトリガ情報（３０４、５０１、６０１〜６０２）を含み、
前記トリガ情報（３０４、５０１、６０１〜６０２）に基づき、前記局は、前記対応する測定結果の少なくとも一部が前記ＣＭＭユニットに送信されるべきか否かを判断する、集中測定マネージャ（ＣＭＭ）ユニット。
【請求項１３】
無線ネットワーク（１００）において測定を管理するシステムであって、
請求項８〜１１のいずれか一項に記載の少なくとも１つの局（１０２）と、請求項１２に記載の集中測定マネージャ（ＣＭＭ）ユニット（１０１）とを具備する、無線ネットワークにおいて測定を管理するシステム。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
衣類が収容される回転ドラムと、この回転ドラムを駆動するモータと、前記回転ドラムを支持する筐体を有し、乾燥運転時に循環させる空気を温風にするヒータを有し、温風を循環させる送風ユニットを有した洗濯乾燥機において、
前記送風ユニットは、吸込み口を有する前面プレート，後面プレート，前面プレートと後面プレートとの間に設けられた羽根が中心側から外径側に行くに従って回転方向とは反対側に後退する羽根車を有し、
この送風ユニットの下流に設けられた吹き出し口を有し、
乾燥運転時に前記吹き出し口から吹き出される温風の圧力が２９３０Ｐａ〜７５００Ｐａであり、
前記送風ユニットの羽根車を回転させることにより前記温風の圧力を上げて圧縮し、その圧縮熱を前記乾燥運転時に使用したことを特徴とする乾燥機。
【請求項２】
請求項１記載の乾燥機において、送風ユニットを断熱したことを特徴とする乾燥機。
【請求項３】
衣類が収容される洗濯兼脱水槽と、この洗濯兼脱水槽を駆動するモータと、前記洗濯兼脱水槽を支持する筐体を有し、乾燥運転時に循環させる空気を温風にするヒータを有し、
温風を循環させる送風ユニットを有した洗濯乾燥機において、
前記送風ユニットは、吸込み口を有する前面プレート，後面プレート，前面プレートと後面プレートとの間に設けられた羽根が中心側から外径側に行くに従って回転方向とは反対側に後退する羽根車を有し、
この送風ユニットの下流に設けられた吹き出し口を有し、
乾燥運転時に前記吹き出し口から吹き出される温風の圧力が２９３０Ｐａ〜７５００Ｐａであり、
送風ユニットの羽根車を回転させることにより前記温風の圧力を上げて圧縮し、その圧縮熱を前記乾燥運転時に使用したことを特徴とする洗濯乾燥機。
【請求項４】
請求項３記載の洗濯乾燥機において、送風ユニットを断熱したことを特徴とする洗濯乾燥機。
【手続補正書】
【提出日】平成21年5月20日(2009.5.20)
【手続補正１】
【補正対象書類名】明細書
【補正対象項目名】０００８
【補正方法】変更
【補正の内容】
【０００８】
上記の課題を解決するために、請求項１に係る発明は、遊技領域を形成する遊技盤と、該遊技盤裏面に取り付けられる遊技盤裏面構成部材と、該遊技盤裏面構成部材の裏面側に取り付けられ、遊技機の動作に関わる電気的制御を実行するための電子部品とコネクタを実装した遊技制御基板を内包する基板ボックスを備える遊技機において、前記基板ボックスは、前記遊技制御基板を基板ボックスに収納した状態で前記電子部品やコネクタを実装する実装面と対向する上面と、該上面周縁から前記遊技制御基板側に延設し、前記遊技制御基板の収納部を形成する収納側壁と、を備える収納部材と、前記遊技制御基板を基板ボックスに収納した状態で前記電子部品やコネクタを実装する実装面の裏面と対向する底面と、該底面周縁から前記遊技制御基板側に起立した外側起立壁と、を有し、前記収納部材の収納部の開口を塞ぐベース部材と、から構成し、前記収納部材は、前記遊技制御基板に設けたコネクタを挿通するためのコネクタ挿通開口部と、前記基板ボックス組み付けの際に、前記遊技制御基板を載置するための遊技制御基板載置部と、を備え、前記ベース部材は、長手方向に亘って前記外側起立壁の内側に、該外側起立壁と平行に形成され、前記遊技制御基板側に起立し、端縁部が前記電子部品やコネクタを実装する実装面の裏面と対向する内側起立壁を備え、前記収納部材の前記収納側壁を前記ベース部材の前記内側起立壁と前記外側起立壁の間のスライド溝に嵌め込み、前記ベース部材に対して前記収納部材を所定の固着方向へスライドすることにより、前記収納部材と前記ベース部材が基板ボックスとして適切な状態に固着されるものとし、前記収納部材と前記ベース部材を固着した際、前記遊技制御基板の非コネクタ実装面が当接する内側起立壁の端縁部と前記遊技制御基板載置部の間に、前記遊技制御基板の板厚以上の間隔となる基板保持空部が形成されるように、内側起立壁および収納側壁の高さを設定したことを特徴とする。
【手続補正２】
【補正対象書類名】明細書
【補正対象項目名】０００９
【補正方法】変更
【補正の内容】
【０００９】
請求項１に係る遊技機によれば、遊技領域を形成する遊技盤と、該遊技盤裏面に取り付けられる遊技盤裏面構成部材と、該遊技盤裏面構成部材の裏面側に取り付けられ、遊技機の動作に関わる電気的制御を実行するための電子部品とコネクタを実装した遊技制御基板を内包する基板ボックスを備える遊技機において、前記基板ボックスは、前記遊技制御基板を基板ボックスに収納した状態で前記電子部品やコネクタを実装する実装面と対向する上面と、該上面周縁から前記遊技制御基板側に延設し、前記遊技制御基板の収納部を形成する収納側壁と、を備える収納部材と、前記遊技制御基板を基板ボックスに収納した状態で前記電子部品やコネクタを実装する実装面の裏面と対向する底面と、該底面周縁から前記遊技制御基板側に起立した外側起立壁と、を有し、前記収納部材の収納部の開口を塞ぐベース部材と、から構成し、前記収納部材は、前記遊技制御基板に設けたコネクタを挿通するためのコネクタ挿通開口部と、前記基板ボックス組み付けの際に、前記遊技制御基板を載置するための遊技制御基板載置部と、を備え、前記ベース部材は、長手方向に亘って前記外側起立壁の内側に、該外側起立壁と平行に形成され、前記遊技制御基板側に起立し、端縁部が前記電子部品やコネクタを実装する実装面の裏面と対向する内側起立壁を備え、前記収納部材の前記収納側壁を前記ベース部材の前記内側起立壁と前記外側起立壁の間のスライド溝に嵌め込み、前記ベース部材に対して前記収納部材を所定の固着方向へスライドすることにより、前記収納部材と前記ベース部材が基板ボックスとして適切な状態に固着されるものとし、前記収納部材と前記ベース部材を固着した際、前記遊技制御基板の非コネクタ実装面が当接する内側起立壁の端縁部と前記遊技制御基板載置部の間に、前記遊技制御基板の板厚以上の間隔となる基板保持空部が形成されるように、内側起立壁および収納側壁の高さを設定したので、遊技制御基板載置部に遊技制御基板が載置された状態で、収納部材の上方よりベース部材を取り付け、収納部材の収納側壁をベース部材の外側起立壁と内側起立壁との間のスライド溝に嵌め込んでも、ベース部材側の内側起立壁の端縁部が遊技制御基板に当接することはなく、基板ボックスの固着動作であるスライド動作を円滑に行うことができ、作業性を高めることができる。
【手続補正３】
【補正対象書類名】明細書
【補正対象項目名】００１１
【補正方法】変更
【補正の内容】
【００１１】
すなわち、収納部材の収納部の開口を塞ぐベース部材が、外側起立壁の内側に内側起立壁を有する構造とすることで、簡易で円滑なスライド機能と、遊技制御基板の非コネクタ実装面を載置する機能と、外部より不正部材が侵入することを困難にする不正防止機能と、を同時に実現できる。
【手続補正４】
【補正対象書類名】特許請求の範囲
【補正対象項目名】全文
【補正方法】変更
【補正の内容】
【特許請求の範囲】
【請求項１】
遊技領域を形成する遊技盤と、該遊技盤裏面に取り付けられる遊技盤裏面構成部材と、該遊技盤裏面構成部材の裏面側に取り付けられ、遊技機の動作に関わる電気的制御を実行するための電子部品とコネクタを実装した遊技制御基板を内包する基板ボックスを備える遊技機において、
前記基板ボックスは、
前記遊技制御基板を基板ボックスに収納した状態で前記電子部品やコネクタを実装する実装面と対向する上面と、該上面周縁から前記遊技制御基板側に延設し、前記遊技制御基板の収納部を形成する収納側壁と、を備える収納部材と、
前記遊技制御基板を基板ボックスに収納した状態で前記電子部品やコネクタを実装する実装面の裏面と対向する底面と、該底面周縁から前記遊技制御基板側に起立した外側起立壁と、を有し、前記収納部材の収納部の開口を塞ぐベース部材と、
から構成し、
前記収納部材は、前記遊技制御基板に設けたコネクタを挿通するためのコネクタ挿通開口部と、前記基板ボックス組み付けの際に、前記遊技制御基板を載置するための遊技制御基板載置部と、を備え、
前記ベース部材は、長手方向に亘って前記外側起立壁の内側に、該外側起立壁と平行に形成され、前記遊技制御基板側に起立し、端縁部が前記電子部品やコネクタを実装する実装面の裏面と対向する内側起立壁を備え、
前記収納部材の前記収納側壁を前記ベース部材の前記内側起立壁と前記外側起立壁の間のスライド溝に嵌め込み、前記ベース部材に対して前記収納部材を所定の固着方向へスライドすることにより、前記収納部材と前記ベース部材が基板ボックスとして適切な状態に固着されるものとし、前記収納部材と前記ベース部材を固着した際、前記遊技制御基板の非コネクタ実装面が当接する内側起立壁の端縁部と前記遊技制御基板載置部の間に、前記遊技制御基板の板厚以上の間隔となる基板保持空部が形成されるように、内側起立壁および収納側壁の高さを設定したことを特徴とする遊技機。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
両端に閉塞用キャップを備えた多数枚の硬質合成樹脂製中空板状体が、軟質合成樹脂製薄板状連結片を介して並列状に連結されてなり、隣接する中空板状体の上端縁どうしの連結と下端縁どうしの連結とが交互に行われ、折り畳み時に中空板状体の上面どうし又は下面どうしが重ね合わされるものとなされると共に、中空板状体の下面に中空板状体長手方向に延びた複数条の滑り止めが設けられている風呂蓋において、
前記中空板状体幅方向中間部の滑り止めが、中空板状体の重ね合わせ時に、隣接する中空板状体の滑り止めと互いに重なり合わない位置に設けられていることを特徴とする風呂蓋。
【請求項２】
前記中空板状体両端の滑り止めの高さが、中空板状体幅方向中間部の滑り止めの高さの１／２に設定されている請求項１に記載の風呂蓋。
【請求項３】
前記滑り止めが、補強用隔壁との対応位置に設けられている請求項１又は請求項２に記載の風呂蓋。
【請求項４】
前記閉塞用キャップは、風呂蓋の展開状態において隣接する閉塞用キャップの側面どうしが当接する大きさに形成されている請求項１ないし請求項３のいずれかに記載の風呂蓋。
【請求項５】
前記中空板状体は、風呂蓋の展開状態における両端の中空板状体とそれに隣接する中空板状体とが、その上端縁どうしを軟質合成樹脂製薄板状連結片を介して連結されている請求項１ないし請求項４のいずれかに記載の風呂蓋。
【手続補正２】
【補正対象書類名】明細書
【補正対象項目名】０００９
【補正方法】変更
【補正の内容】
【０００９】
［２］  前記中空板状体両端の滑り止めの高さが、中空板状体幅方向中間部の滑り止めの高さの１／２に設定されている前項１に記載の風呂蓋。
【手続補正３】
【補正対象書類名】明細書
【補正対象項目名】００１０
【補正方法】変更
【補正の内容】
【００１０】
［３］  前記滑り止めが、補強用隔壁との対応位置に設けられている前項１又は前項２に記載の風呂蓋。
【手続補正４】
【補正対象書類名】明細書
【補正対象項目名】００１１
【補正方法】変更
【補正の内容】
【００１１】
［４］  前記閉塞用キャップは、風呂蓋の展開状態において隣接する閉塞用キャップの側面どうしが当接する大きさに形成されている前項１ないし前項３のいずれかに記載の風呂蓋。
【手続補正５】
【補正対象書類名】明細書
【補正対象項目名】００１２
【補正方法】変更
【補正の内容】
【００１２】
［５］  前記中空板状体は、風呂蓋の展開状態における両端の中空板状体とそれに隣接する中空板状体とが、その上端縁どうしを軟質合成樹脂製薄板状連結片を介して連結されている前項１ないし前項４のいずれかに記載の風呂蓋。
【手続補正６】
【補正対象書類名】明細書
【補正対象項目名】００１６
【補正方法】変更
【補正の内容】
【００１６】
［４］の発明にかかる風呂蓋では、前記閉塞用キャップが、風呂蓋の展開状態において隣接する閉塞用キャップの側面どうしが当接する大きさに形成されているので、隣接する閉塞用キャップの間から漏れる湯気の量を低減でき、風呂蓋の保温効果を高める。
【手続補正書】
【提出日】平成21年6月30日(2009.6.30)
【手続補正１】
【補正対象書類名】明細書
【補正対象項目名】０００２
【補正方法】変更
【補正の内容】
【０００２】マウスピースの不安定を、ユーザーに優しい安定に使えるものとする。昼と夜の、生活リズム感をより健康に、安定化する。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
底部が開口した筐体と、
該筐体の一端寄り両壁に回転自在に枢支されたロール状のブラシと、
前記筐体内のブラシを除いた他端側に形成されたダスト室と、
該ダスト室の開口部を開閉自在とする蓋と、
前記蓋体の上部内面の一端寄りに設けられ、前記ブラシが所定の回転方向に回転するときに該ブラシに付着したゴミをかき取り、該ブラシが所定の回転方向とは逆方向に回転しようとするときには該ブラシの回転を阻止するゴミかき取り機構と、
を備えたことを特徴とする清掃装置。
【請求項２】
前記ゴミかき取り機構は、断面が略Ｌ字形状で、一片に先端が櫛歯状のゴミかき取り部を有し、もう一片にストッパ部を有するゴミかき取り具と、このゴミかき取り具を前記筐体内の所定位置に配置させ、前記ゴミかき取り具を前記ブラシに向けて常時付勢するバネを有する位置決め部材と、から構成され、
前記ブラシが前記所定の回転方向に回転するときに、前記ゴミかき取り部が前記ブラシに付着したゴミを該ブラシから分離させるとともに、
前記ブラシが前記所定の回転方向とは逆方向に回転しようとするときには、前記ブラシの毛が前記ストッパ部に対して逆目となって前記ストッパ部に引っかかり、前記ブラシの回転が阻止されることを特徴とする請求項１記載の清掃装置。
【請求項３】
前記ゴミかき取り具のゴミかき取り部が、前記ブラシの回転中心より前記バネ設置側で略水平位置に配置され、前記ゴミかき取り具のストッパ部が、前記ブラシの回転中心より前記バネ設置側で上方略垂直位置から略水平位置の間に配置させられていることを特徴とする請求項２記載の清掃装置。
【請求項４】
前記ゴミかき取り具の前記ゴミかき取り部と前記ストッパ部とがなす断面角度が略９０°〜１２０°で、前記ゴミかき取り部と前記ストッパ部のそれぞれが前記ブラシの略接線方向に前記ブラシと接していることを特徴とする請求項２又は３に記載の清掃装置。
【請求項５】
前記ゴミかき取り機構は、断面が略Ｌ字形状で、一方の端部がゴミかき取り部であって、屈曲部がストッパ部であるゴミかき取り具と、このゴミかき取り具を前記筐体内の所定位置に配置させ、前記ゴミかき取り具を前記ブラシに向けて常時付勢するバネを有する位置決め部材と、から構成され、
前記ブラシが前記所定の回転方向に回転するときに、前記ゴミかき取り部が前記ブラシに付着したゴミを該ブラシから分離させるとともに、
前記ブラシが前記所定の回転方向とは逆方向に回転しようとするときには、前記ブラシの毛が前記ストッパ部に対して逆目となって前記ストッパ部に引っかかり、前記ブラシの回転が阻止されることを特徴とする請求項１記載の清掃装置。
【請求項６】
前記請求項１〜５のいずれかに記載の清掃装置を、空気の流れの途中に設置された塵埃を除去するフィルタに接触するように配置して構成したことを特徴とするフィルタ清掃装置。
【請求項７】
室内機本体に設けられた吸込口と、
前記室内機本体の内部に設けられ、前記吸込口から前記室内機本体の内部に入る室内空気と冷凍サイクルの冷媒とを熱交換させる熱交換器と、
前記吸込口と前記熱交換器との間に設けられ、前記室内空気の塵埃を除去するフィルタと、
このフィルタに接触するように配置され、前記フィルタに付着したゴミを取り除くことを特徴とする請求項１〜５のいずれかに記載の空気調和機。
【請求項８】
前記清掃装置に対して前記フィルタが移動することを特徴とする請求項７に記載の空気調和機。
【手続補正２】
【補正対象書類名】明細書
【補正対象項目名】０００６
【補正方法】変更
【補正の内容】
【０００６】
本発明に係る清掃装置は、底部が開口した筐体と、該筐体の一端寄り両壁に回転自在に枢支されたロール状のブラシと、前記筐体内のブラシを除いた他端側に形成されたダスト室と、該ダスト室の開口部を開閉自在とする蓋と、前記蓋体の上部内面の一端寄りに設けられ、前記ブラシが所定の回転方向に回転するときに該ブラシに付着したゴミをかき取り、該ブラシが所定の回転方向とは逆方向に回転しようとするときには該ブラシの回転を阻止するゴミかき取り機構と、を備えてなるものである。
【手続補正３】
【補正対象書類名】明細書
【補正対象項目名】０００７
【補正方法】変更
【補正の内容】
【０００７】
以上説明したように本発明に係る清掃装置は、底部が開口した筐体と、該筐体の一端寄り両壁に回転自在に枢支されたロール状のブラシと、前記筐体内のブラシを除いた他端側に形成されたダスト室と、該ダスト室の開口部を開閉自在とする蓋とを備え、前記筐体の上部内面の一端寄りに設けられたゴミかき取り機構が前記ブラシが所定の回転方向に回転するときに該ブラシに付着したゴミをかき取り、該ブラシが所定の回転方向とは逆方向に回転しようとするときには該ブラシの回転を阻止するようにしたので、ブラシが所定の回転方向に回転するときに該ブラシに付着したゴミをかき取り、かき取ったゴミをダスト室に収納でき、該ブラシが所定の回転方向とは逆方向に回転しようとするときには該ブラシの回転が阻止されてブラシに付着しているゴミが外に逆流することが防止されるという効果を有する。